【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
遠隔タイヤ監視システムのタイヤセンサを起動させる複数の手段を含むツールにおいて、前記複数の手段は、磁石、バルブコアデプレッサ、連続波信号発生手段、及び被変調信号発生手段からなる群から選択され、前記ツールは、前記起動させる手段を選択する手段、動作モードを選択する手段、情報を入力する手段を含むことを特徴とするツール。
【請求項２】
前記ツールは、磁石、及び少なくとも１つの連続波信号発生手段を含むことを特徴とする請求項１に記載のツール。
【請求項３】
前記ツールは、磁石、及び少なくとも１つの被変調信号発生手段を含むことを特徴とする請求項１に記載のツール。
【請求項４】
前記ツールは、少なくとも１つの連続波信号発生手段、及び少なくとも１つの被変調信号発生手段を含むことを特徴とする請求項１に記載のツール。
【請求項５】
前記ツールは、複数の連続波信号発生手段を含むことを特徴とする請求項１に記載のツール。
【請求項６】
前記ツールは、複数の被変調信号発生手段を含むことを特徴とする請求項１に記載のツール。
【請求項７】
遠隔タイヤ監視システムのタイヤセンサを起動させる複数の手段を含み、
前記複数の手段は、磁石、バルブコアデプレッサ、連続波信号発生手段、及び被変調信号発生手段からなる群から選択され、
タイヤセンサ信号を受信する手段を更に含み、
前記起動させる手段を選択する手段、
動作モードを選択する手段、
情報を入力する手段
を含むことを特徴とするツール。
【請求項８】
前記タイヤセンサ信号を受信する手段は、125ｋＨｚ、13.56ＭＨｚ、315ＭＨｚ、433ＭＨｚ、848ＭＨｚ、916ＭＨｚ、及び2.4ＧＨｚの周波数において前記タイヤセンサ信号を受信することができる手段の群から選択されることを特徴とする請求項７に記載のツール。
【請求項９】
遠隔タイヤ監視システムのタイヤセンサを起動させる複数の手段を含み、
前記複数の手段は、磁石、バルブコアデプレッサ、連続波信号発生手段、及び被変調信号発生手段からなる群から選択され、
複数のタイヤセンサ信号を受信する手段を更に含み、
前記起動させる手段を選択する手段、
動作モードを選択する手段、
情報を入力する手段
を含むことを特徴とするツール。
【請求項１０】
前記複数のタイヤセンサ信号を受信する手段は、125ｋＨｚ、13.56ＭＨｚ、315ＭＨｚ、433ＭＨｚ、848ＭＨｚ、916ＭＨｚ、及び2.4ＧＨｚの周波数において前記タイヤセンサ信号を受信することができる手段の群から選択されることを特徴とする請求項９に記載のツール。
【請求項１１】
遠隔タイヤ監視システムのタイヤセンサを起動させる複数の手段を含み、
前記複数の手段は、磁石、バルブコアデプレッサ、連続波信号発生手段、及び被変調信号発生手段からなる群から選択され、
タイヤセンサ信号を受信する手段と、
前記タイヤセンサ信号から受信したデータを表示するディスプレイ装置と、
を更に含み、
前記起動させる手段を選択する手段、
動作モードを選択する手段、
情報を入力する手段
を含むことを特徴とするツール。
【請求項１２】
前記ディスプレイ装置は、ＬＥＤデバイス、ＬＣＤデバイス、またはＶＦデバイスであることを特徴とする請求項１１に記載のツール。
【請求項１３】
遠隔タイヤ監視システムのタイヤセンサを起動させる複数の手段を含み、
前記複数の手段は、磁石、バルブコアデプレッサ、連続波信号発生手段、及び被変調信号発生手段からなる群から選択され、
タイヤセンサ信号を受信する手段と、
信号を前記遠隔タイヤ監視システムの受信ユニットへ送信する手段と、
を更に含み、
前記起動させる手段を選択する手段、
動作モードを選択する手段、
情報を入力する手段
を含むことを特徴とするツール。
【請求項１４】
前記信号を前記遠隔タイヤ監視システムの受信ユニットへ送信する手段は、125ｋＨｚ、13.56ＭＨｚ、315ＭＨｚ、433ＭＨｚ、848ＭＨｚ、916ＭＨｚ、及び2.4ＧＨｚの周波数において前記信号を送信することができる手段の群から選択されることを特徴とする請求項１３に記載のツール。
【請求項１５】
遠隔タイヤ監視システムのタイヤセンサを起動させる複数の手段を含み、
前記複数の手段は、磁石、バルブコアデプレッサ、連続波信号発生手段、及び被変調信号発生手段からなる群から選択され、
タイヤセンサ信号を受信する手段と、
信号を前記遠隔タイヤ監視システムの受信ユニットへ送信する手段と、
前記遠隔タイヤ監視システムの受信ユニットによって送信された前記信号を受信する手段と、
を更に含み、
前記起動させる手段を選択する手段、
動作モードを選択する手段、
情報を入力する手段
を含むことを特徴とするツール。
【請求項１６】
タイヤセンサ信号を受信する手段と、
信号を遠隔タイヤ監視システムの受信ユニットへ送信する手段と、
を含み、
起動させる手段を選択する手段、
動作モードを選択する手段、
情報を入力する手段
を含むことを特徴とするツール。
【請求項１７】
動作モードを選択するステップと、
遠隔タイヤ監視システムのタイヤセンサを起動させる第１の手段を選択するステップと、
前記遠隔タイヤ監視システムのタイヤセンサを起動させる第１の手段を使用して、前記遠隔タイヤ監視システムのタイヤセンサの起動を試みるステップと、
タイヤセンサ信号の受信を待機するステップと、
遠隔タイヤ監視システムのタイヤセンサを起動させる別の手段を選択するステップと、
もし前記タイヤセンサ信号を受信することがなければ、前記遠隔タイヤ監視システムのタイヤセンサを起動させる別の手段を使用して、前記遠隔タイヤ監視システムのタイヤセンサの起動を試みるステップと、
タイヤセンサ信号を受信するか、または前記遠隔タイヤ監視システムのタイヤセンサを起動させる別の手段が利用可能でないかの何れかまで、前記待機ステップ、前記第２の選択ステップ及び前記第２の試みステップを繰り返すステップと、
を含むことを特徴とする方法。
【請求項１８】
動作モードを選択するステップと、
遠隔タイヤ監視システムのタイヤセンサを起動させる第１の手段を選択するステップと、
前記遠隔タイヤ監視システムのタイヤセンサを起動させる第１の手段を使用して、前記遠隔タイヤ監視システムのタイヤセンサの起動を試みるステップと、
タイヤセンサ信号の受信を待機するステップと、
遠隔タイヤ監視システムのタイヤセンサを起動させる別の手段を選択するステップと、
もし前記タイヤセンサ信号を受信することがなければ、前記遠隔タイヤ監視システムのタイヤセンサを起動させる別の手段を使用して、前記遠隔タイヤ監視システムのタイヤセンサの起動を試みるステップと、
もしタイヤセンサ信号を受信すれば、前記遠隔タイヤ監視のタイヤセンサを起動を試みるために使用された最新手段を記録するステップと、
タイヤセンサ信号を受信するか、または前記遠隔タイヤ監視システムのタイヤセンサを起動させる別の手段が利用可能でないかの何れかまで、前記待機ステップ、前記第２の選択ステップ及び前記第２の試みステップを繰り返すステップと、
を含むことを特徴とする方法。
【請求項１９】
動作モードを選択するステップと、
遠隔タイヤ監視システムのタイヤセンサを起動させる第１の手段を選択するステップと、
前記遠隔タイヤ監視システムのタイヤセンサを起動させる第１の手段を使用して、遠隔タイヤ監視システムの第１のタイヤセンサの起動を試みるステップと、
タイヤセンサ信号の受信を待機するステップと、
遠隔タイヤ監視システムのタイヤセンサを起動させる別の手段を選択するステップと、
もし前記タイヤセンサ信号を受信することがなければ、前記遠隔タイヤ監視システムのタイヤセンサを起動させる別の手段を使用して、前記遠隔タイヤ監視システムの第１のタイヤセンサの起動を試みるステップと、
もしタイヤセンサ信号を受信すれば、前記遠隔タイヤ監視のタイヤセンサを起動を試みるために使用された最新手段を記録するステップと、
タイヤセンサ信号を受信するか、または前記遠隔タイヤ監視システムのタイヤセンサを起動させる別の手段が利用可能でないかの何れかまで、前記待機ステップ、前記第２の選択ステップ及び前記第２の試みステップを繰り返すステップと、
前記記録された手段を使用して、遠隔タイヤ監視システムの第２のタイヤセンサを起動させるステップと、
を含むことを特徴とする方法。
【請求項２０】
第１の動作モードを選択するステップと、
遠隔タイヤ監視システムのタイヤセンサを起動させるステップと、
前記起動されたタイヤセンサから、データを含むタイヤセンサ信号を受信するステップと、
第２の動作モードを選択するステップと、
前記タイヤセンサから受信したデータの若干または全てを、遠隔タイヤ監視システムの受信ユニットへ送信するステップと、
を含むことを特徴とする方法。
【請求項２１】
前記遠隔タイヤ監視システムの受信ユニットへ送信されるデータは、前記遠隔タイヤ監視のタイヤセンサから受信したデータに付加される付加的なデータを含むことを特徴とする請求項２０に記載の方法。
【請求項２２】
前記付加的なデータは、前記遠隔タイヤ監視システムのタイヤセンサのタイヤ位置を含むことを特徴とする請求項２１に記載の方法。